【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
各々が入射する電磁波に基づく電気信号を出力する、行列状に設けられた複数の電気信号出力部と、各々が前記電気信号出力部に対応して設けられ、各々が前記電気信号出力部から入力される前記電気信号をデジタル信号に変換する複数のＡ／Ｄ変換部と、を有する画素アレイ、および、各々が前記電気信号出力部の各列に対応して設けられた、前記デジタル信号を保持する複数の記憶部を有し、
さらに、前記電気信号出力部に駆動バイアスを供給する第１の信号線と、
前記Ａ／Ｄ変換部から前記記憶部に前記デジタル信号を伝送する第２の信号線と、
を有する撮像装置であって、
前記第１の信号線と前記第２の信号線との間に前記電気信号出力部が設けられていることを特徴とする撮像装置。
【請求項２】
各々が入射する電磁波に基づく電気信号を出力する、行列状に設けられた複数の電気信号出力部と、各々が前記電気信号出力部に対応して設けられ、各々が前記電気信号出力部から入力される前記電気信号をデジタル信号に変換する複数のＡ／Ｄ変換部と、を有する画素アレイ、および、各々が前記電気信号出力部の各列に対応して設けられた、前記デジタル信号を保持する複数の記憶部を有し、
さらに、前記Ａ／Ｄ変換部に駆動バイアスを供給する第１の信号線と、
前記Ａ／Ｄ変換部から前記記憶部に前記デジタル信号を伝送する第２の信号線と、
を有する撮像装置であって、
前記第１の信号線と前記第２の信号線との間に、前記電気信号出力部が設けられていることを特徴とする撮像装置。
【請求項３】
互いに隣接する第１の電気信号出力部と第２の電気信号出力部とを有し、
複数の第１の信号線の間に、前記第１の電気信号出力部と前記第２の電気信号出力部とが設けられていると共に、前記第１の電気信号出力部と前記第２の電気信号出力部の間に前記第２の信号線が設けられているか、
複数の第２の信号線の間に、前記第１の電気信号出力部と前記第２の電気信号出力部とが設けられていると共に、前記第１の電気信号出力部と前記第２の電気信号出力部の間に前記第１の信号線が設けられていることを特徴とする請求項１または２に記載の撮像装置。
【請求項４】
前記記憶部が、第１の記憶部と、第２の記憶部と、を有し、
前記撮像装置が、さらに前記第２の信号線と前記記憶部との間の電気的経路に選択回路を有し、
前記複数のＡ／Ｄ変換部の各々が、互いに異なる列の前記電気信号出力部に対応して設けられ、
前記選択回路が、一の前記第２の信号線が伝送する、前記複数のＡ／Ｄ変換部の一方の前記デジタル信号を前記第１の記憶部に出力し、
前記選択回路が、前記一の第２の信号線が伝送する、前記複数のＡ／Ｄ変換部の他方の前記デジタル信号を前記第２の記憶部に出力することを特徴とする請求項１〜３のいずれかに記載の撮像装置。
【請求項５】
前記画素アレイが、各々が前記電気信号出力部と前記Ａ／Ｄ変換部とを有する行列状に設けられた複数の画素を有することを特徴とする請求項１〜４のいずれかに記載の撮像装置。
【請求項６】
前記画素が、前記電気信号を増幅した信号を前記Ａ／Ｄ変換部に出力する増幅器をさらに有することを特徴とする請求項５に記載の撮像装置。
【請求項７】
前記撮像装置が、前記増幅器に駆動バイアスを供給する第３の信号線をさらに有し、
前記第１の信号線と前記第３の信号線とを含む信号線群と、前記第２の信号線との間に、前記電気信号出力部が設けられていることを特徴とする請求項６に記載の撮像装置。
【請求項８】
１つの前記Ａ／Ｄ変換部が、複数行の前記電気信号出力部に対応して設けられていることを特徴とする請求項１〜４のいずれかに記載の撮像装置。
【請求項９】
前記画素アレイは、各々が前記電気信号を増幅した信号を前記Ａ／Ｄ変換部に出力する複数の増幅器をさらに有し、
１つの前記増幅器あるいは複数の前記増幅器が、前記複数行の前記電気信号出力部に対応して設けられた前記１つのＡ／Ｄ変換部に対応して設けられていることを特徴とする請求項８に記載の撮像装置。
【請求項１０】
前記撮像装置が、前記増幅器に駆動バイアスを供給する第３の信号線をさらに有し、
前記第１の信号線と前記第３の信号線とを含む信号線群と、前記第２の信号線との間に前記電気信号出力部が設けられていることを特徴とする請求項９に記載の撮像装置。
【請求項１１】
１つの前記Ａ／Ｄ変換部が、複数行の前記電気信号出力部および、複数列の前記電気信号出力部と、に対応して設けられていることを特徴とする請求項１〜４のいずれかに記載の撮像装置。
【請求項１２】
前記撮像装置は、各々が前記電気信号を増幅した信号を前記Ａ／Ｄ変換部に出力する複数の増幅器をさらに有し、
前記増幅器が、前記１つのＡ／Ｄ変換部に対応して設けられ、
前記第１の信号線と前記第２の信号線との間に、前記増幅器が設けられていることを特徴とする請求項１１に記載の撮像装置。
【請求項１３】
前記撮像装置が、前記増幅器に駆動バイアスを供給する第３の信号線をさらに有し、
前記第１の信号線と前記第３の信号線とを含む信号線群と、前記第２の信号線との間に前記電気信号出力部が設けられていることを特徴とする請求項１２に記載の撮像装置。
【請求項１４】
１つの前記Ａ／Ｄ変換部が、複数行の前記電気信号出力部および、複数列の前記電気信号出力部に対応して設けられ、
前記撮像装置はさらに、前記Ａ／Ｄ変換部にランプ信号を供給する第４の信号線を有し、
前記第１の信号線と前記第４の信号線との間に、前記１つのＡ／Ｄ変換部が設けられていることを特徴とする請求項１３に記載の撮像装置。
【請求項１５】
前記Ａ／Ｄ変換部が、ランプ信号と前記電気信号に基づく信号とを比較した結果を示す比較結果信号を生成する比較器を有することを特徴とする請求項１〜１４のいずれかに記載の撮像装置。
【請求項１６】
前記撮像装置が、
クロック信号を計数したカウンタ信号を生成するカウンタと、
前記比較器から前記比較結果信号が入力されるメモリと、
前記カウンタから前記メモリに前記カウンタ信号を供給するカウンタ信号線と、をさらに有し、
前記第２の信号線および前記カウンタ信号線を含む信号線群と、前記第１の信号線との間に、前記電気信号出力部が設けられていることを特徴とする請求項１５に記載の撮像装置。
【請求項１７】
前記撮像装置が、前記メモリに駆動バイアスを供給する信号線をさらに有し、
前記第２の信号線および前記カウンタ信号線を含む信号線群と、前記メモリに駆動バイアスを供給する前記信号線との間に、前記電気信号出力部が設けられていることを特徴とする請求項１６に記載の撮像装置。
【請求項１８】
請求項１〜１７のいずれかに記載の撮像装置と、
前記撮像装置が出力する信号処理部と、を有することを特徴とする撮像システム。
【請求項１９】
撮像装置の駆動方法であって、
前記撮像装置は、
各々が入射する電磁波に基づく電気信号を出力する、行列状に設けられた複数の電気信号出力部と、各々が前記電気信号出力部に対応して設けられ、各々が前記電気信号出力部から入力される前記電気信号をデジタル信号に変換する複数のＡ／Ｄ変換部と、を有する画素アレイ、および、各々が前記電気信号出力部の各列に対応して設けられた、前記デジタル信号を保持する複数の記憶部と、
前記電気信号出力部に駆動バイアスを供給する第１の信号線と、
前記Ａ／Ｄ変換部から前記記憶部に前記デジタル信号を伝送する第２の信号線と、
を有し、
さらに、前記画素アレイは、各々が前記電気信号を増幅した信号を前記Ａ／Ｄ変換部に出力する複数の増幅器を有し、
前記第１の信号線と前記第２の信号線との間に、前記電気信号出力部が設けられており、
前記増幅器が、前記１つのＡ／Ｄ変換部に対応して設けられており、
前記駆動方法は、
前記１つのＡ／Ｄ変換部が、一の前記電気信号出力部の前記電気信号を増幅した信号をＡ／Ｄ変換している期間に、
前記増幅器が、他の前記電気信号出力部の前記電気信号の増幅を行うことを特徴とする撮像装置の駆動方法。
【請求項２０】
撮像装置の駆動方法であって、
前記撮像装置は、
各々が入射する電磁波に基づく電気信号を出力する、行列状に設けられた複数の電気信号出力部と、各々が前記電気信号出力部に対応して設けられ、各々が前記電気信号出力部から入力される前記電気信号をデジタル信号に変換する複数のＡ／Ｄ変換部と、を有する画素アレイ、および、各々が前記電気信号出力部の各列に対応して設けられた、前記デジタル信号を保持する複数の記憶部と、
前記Ａ／Ｄ変換部に駆動バイアスを供給する第１の信号線と、
前記Ａ／Ｄ変換部から前記記憶部に前記デジタル信号を伝送する第２の信号線と、
を有し、
さらに、前記画素アレイは、各々が前記電気信号を増幅した信号を前記Ａ／Ｄ変換部に出力する複数の増幅器を有し、
前記第１の信号線と前記第２の信号線との間に、前記電気信号出力部が設けられており、
前記増幅器が、前記１つのＡ／Ｄ変換部に対応して設けられており、
前記駆動方法は、
前記１つのＡ／Ｄ変換部が、一の前記電気信号出力部の前記電気信号を増幅した信号をＡ／Ｄ変換している期間に、
前記増幅器が、他の前記電気信号出力部の前記電気信号の増幅を行うことを特徴とする撮像装置の駆動方法。
【手続補正２】
【補正対象書類名】明細書
【補正対象項目名】０００５
【補正方法】変更
【補正の内容】
【０００５】
本発明は上記の課題を解決するために為されたものであり、一の態様は、各々が入射する電磁波に基づく電気信号を出力する、行列状に設けられた複数の電気信号出力部と、各々が前記電気信号出力部に対応して設けられ、各々が前記電気信号出力部から入力される前記電気信号をデジタル信号に変換する複数のＡ／Ｄ変換部と、を有する画素アレイ、および、各々が前記電気信号出力部の各列に対応して設けられた、前記デジタル信号を保持する複数の記憶部を有し、さらに、前記電気信号出力部に駆動バイアスを供給する第１の信号線と、前記Ａ／Ｄ変換部から前記記憶部に前記デジタル信号を伝送する第２の信号線と、を有する撮像装置であって、前記第１の信号線と前記第２の信号線との間に前記電気信号出力部が設けられていることを特徴とする撮像装置である。
【手続補正３】
【補正対象書類名】明細書
【補正対象項目名】０００６
【補正方法】変更
【補正の内容】
【０００６】
また別の態様は、各々が入射する電磁波に基づく電気信号を出力する、行列状に設けられた複数の電気信号出力部と、各々が前記電気信号出力部に対応して設けられ、各々が前記電気信号出力部から入力される前記電気信号をデジタル信号に変換する複数のＡ／Ｄ変換部と、を有する画素アレイ、および、各々が前記電気信号出力部の各列に対応して設けられた、前記デジタル信号を保持する複数の記憶部を有し、さらに、前記Ａ／Ｄ変換部に駆動バイアスを供給する第１の信号線と、前記Ａ／Ｄ変換部から前記記憶部に前記デジタル信号を伝送する第２の信号線と、を有する撮像装置であって、前記第１の信号線と前記第２の信号線との間に、前記電気信号出力部が設けられていることを特徴とする撮像装置である。
【手続補正４】
【補正対象書類名】明細書
【補正対象項目名】０００７
【補正方法】変更
【補正の内容】
【０００７】
また別の態様は、撮像装置の駆動方法であって、前記撮像装置は、各々が入射する電磁波に基づく電気信号を出力する、行列状に設けられた複数の電気信号出力部と、各々が前記電気信号出力部に対応して設けられ、各々が前記電気信号出力部から入力される前記電気信号をデジタル信号に変換する複数のＡ／Ｄ変換部と、を有する画素アレイ、および、各々が前記電気信号出力部の各列に対応して設けられた、前記デジタル信号を保持する複数の記憶部と、前記電気信号出力部に駆動バイアスを供給する第１の信号線と、前記Ａ／Ｄ変換部から前記記憶部に前記デジタル信号を伝送する第２の信号線と、を有し、さらに、前記画素アレイは、各々が前記電気信号を増幅した信号を前記Ａ／Ｄ変換部に出力する複数の増幅器を有し、前記第１の信号線と前記第２の信号線との間に、前記電気信号出力部が設けられており、前記増幅器が、前記１つのＡ／Ｄ変換部に対応して設けられており、前記駆動方法は、前記１つのＡ／Ｄ変換部が、一の前記電気信号出力部の前記電気信号を増幅した信号をＡ／Ｄ変換している期間に、前記増幅器が、他の前記電気信号出力部の前記電気信号の増幅を行うことを特徴とする撮像装置の駆動方法である。
【手続補正５】
【補正対象書類名】明細書
【補正対象項目名】０００８
【補正方法】変更
【補正の内容】
【０００８】
また、別の態様は、撮像装置の駆動方法であって、前記撮像装置は、各々が入射する電磁波に基づく電気信号を出力する、行列状に設けられた複数の電気信号出力部と、各々が前記電気信号出力部に対応して設けられ、各々が前記電気信号出力部から入力される前記電気信号をデジタル信号に変換する複数のＡ／Ｄ変換部と、を有する画素アレイ、および、各々が前記電気信号出力部の各列に対応して設けられた、前記デジタル信号を保持する複数の記憶部と、前記Ａ／Ｄ変換部に駆動バイアスを供給する第１の信号線と、前記Ａ／Ｄ変換部から前記記憶部に前記デジタル信号を伝送する第２の信号線と、を有し、さらに、前記画素アレイは、各々が前記電気信号を増幅した信号を前記Ａ／Ｄ変換部に出力する複数の増幅器を有し、前記第１の信号線と前記第２の信号線との間に、前記電気信号出力部が設けられており、前記増幅器が、前記１つのＡ／Ｄ変換部に対応して設けられており、前記駆動方法は、前記１つのＡ／Ｄ変換部が、一の前記電気信号出力部の前記電気信号を増幅した信号をＡ／Ｄ変換している期間に、前記増幅器が、他の前記電気信号出力部の前記電気信号の増幅を行うことを特徴とする撮像装置の駆動方法である。